(57)【要約】  【課題】  苺の親苗からのランナーを根付かせて子苗を育成する際に、作業性にすぐれかつ効率良く育成する。  【解決手段】  ジグザグに折曲した針金を組み合わせてなるネットフェンス５を、適当な高さの空中に水平方向に張架し、ネットフェンス５の編み目内に、培土を入れた栽培ポット８を嵌合保持させておくとともに、ネットフェンス５上の適箇所に苺の親苗２１を植えたプランタ６を配置しておき、親苗２１から伸びてきたランナー２２を切断することなく栽培ポット８に導いて根付かせて、その後、ランナー２２が根付いて成長したらランナー２２を切断して子苗２３として取り出す。【選択図】  図１
2006050907.tif 000002
【特許請求の範囲】
【請求項１】
ジグザグに折曲した針金を組み合わせてなるネットフェンスを、適当な高さの空中に水平方向に張架し、該ネットフェンスの編み目内に、培土を入れた栽培ポットを嵌合保持させておくとともに、前記ネットフェンス上の適箇所に苺の親苗を植えたプランタを配置しておき、前記親苗から伸びてきたランナーを切断することなく栽培ポットに導いて根付かせて、その後、ランナーが根付いて成長したらランナーを切断して子苗として取り出すことを特徴とした苺苗育成方法。
【請求項２】
地面から４０〜１００ｃｍの高さに梁部材を縦横に配設し、該梁部材の上にジグザグに折曲した針金を組み合わせてなるネットフェンスを敷設し、該ネットフェンスの中央部長手方向に苺の親苗を植えたプランタを１列に配置するとともに、該プランタの両脇のネットフェンスの編み目の適箇所に培土を入れた栽培ポットを嵌合保持させておき、前記親苗から伸びてきたランナーを切断することなく栽培ポットに導いて根付かせて、その後、ランナーが根付いて成長したらランナーを切断して子苗として取り出すことを特徴とした苺苗育成方法。
【請求項３】
請求項１または２に記載の苺苗育成方法において、
前記プランタに点滴チューブを配設して苺の親苗へ灌水および補肥をするとともに、前記栽培ポット側に噴霧装置を配設して前記栽培ポットの子苗へ灌水することを特徴とした苺苗育成方法。
【発明の詳細な説明】
【技術分野】
【０００１】
本発明は、苺苗育成方法に関し、詳しくは培土を入れた栽培ポットを空中に張架されたネットフェンスの編み目に配置しておいて、親苗から伸びてきたランナーを栽培ポットに根付かせて子苗を育成する苺苗育成方法に関する。
【背景技術】
【０００２】
従来、苺栽培では、苺苗を育成する段階での、腰をかがめての作業が大変にきついため、腰をかがめないですむように、空中で苺苗を育成する栽培方法が、特許文献１の「栽培方法」として提案されている。これは棚の上に親苗を入れたポットを置いておき、親苗から伸びてきたランナーを垂れ下がらせてから切断して、そのランナーを栽培ポットに移植して子苗を得ていた。この方法では、ランナーを切断する作業では、腰をかがめる必要がないため、作業者にやさしい栽培方法であった。
【特許文献１】特開平１０−３０４７６４号公報
【発明の開示】
【発明が解決しようとする課題】
【０００３】
しかしながら上述したように、棚の上に親苗を入れたポットを置いておき、伸びてきたランナーを切断する方法では、親苗から切断されたランナーが栽培ポットに移植されるため、根付および成長が遅いという欠点があった。さらに、上述した方法では、親苗を入れたポットが棚の上にただ載せられているだけで、ポットを安定させる対策が講じられていないため、ランナーの成長とともにポットの重心位置も移動してポットの安定が悪く倒れやすいという問題があった。
そこで、本発明は、ランナーを切断することなく栽培ポットに根付かせて成長を促進することができるとともに、栽培ポットも安定して保持することのできる苺苗育成方法を提案することを目的とした。
【課題を解決するための手段】
【０００４】
上記課題を解決するために、本発明は、ジグザグに折曲した針金を組み合わせてなるネットフェンスを、適当な高さの空中に水平方向に張架し、該ネットフェンスの編み目内に、培土を入れた栽培ポットを嵌合保持させておくとともに、前記ネットフェンス上の適箇所に苺の親苗を植えたプランタを配置しておき、前記親苗から伸びてきたランナーを切断することなく栽培ポットに導いて根付かせて、その後、ランナーが根付いて成長したらランナーを切断して子苗として取り出すことを特徴とする。
【０００５】
また、本発明は、地面から４０〜１００ｃｍの高さに梁部材を縦横に配設し、該梁部材の上にジグザグに折曲した針金を組み合わせてなるネットフェンスを敷設し、該ネットフェンスの中央部長手方向に苺の親苗を植えたプランタを１列に配置するとともに、該プランタの両脇のネットフェンスの編み目の適箇所に培土を入れた栽培ポットを嵌合保持させておき、前記親苗から伸びてきたランナーを切断することなく栽培ポットに導いて根付かせて、その後、ランナーが根付いて成長したらランナーを切断して子苗として取り出すことを特徴とする。
【０００６】
ここで、前記プランタに点滴チューブを配設して苺の親苗へ灌水および補肥をするとともに、前記栽培ポット側に噴霧装置を配設して前記栽培ポットの子苗へ灌水することも可能である。
【発明の効果】
【０００７】
以上述べたように本発明によれば、プランタ内の親苗から伸びてきたランナーを切断することなく栽培ポットに導いて根付かせて、その後、子苗が根付いて成長したらランナーを切断して子苗として取り出すため、子苗の成長が早くなる。また、子苗用の栽培ポットがネットフェンスの編み目に嵌合保持されるため安定する。
【発明を実施するための最良の形態】
【０００８】
以下、図に基づいて本発明の実施形態を説明する。
図１は本発明に係る苺苗育成方法の設備を示す縦断面図であり、図２は図１の平面図であり、図３は図２の要部を拡大して示した図であり、図４は図３の栽培ポットを示す図である。図１および図２に示されるように、地面から４０〜１００ｃｍの高さ、好ましくは５０ｃｍの高さに支柱１が適間隔で立設され、支柱１の上端には長さ１５０ｃｍ程度のパイプ２が溶接等により一体的に固定されている。さらに、パイプ２の上には、縦方向にパイプ３，４が載せられてパイプ２に固定されている。これら梁部材であるところのパイプ２〜４の上に、ジグザグに折曲した針金を組み合わせてなるネットフェンス５が敷設されている。中央の２本のパイプ４の上には、ネットフェンス５を介してプランタ６が縦一列に配置されている。ネットフェンス５の編み目の適箇所に、栽培ポット８が上方向から嵌入されて保持されている。なお、図１中の７は支柱１と支柱１を連結するステイである。
【０００９】
ネットフェンス５は、図２および図３に示されるように、鋼線を略９０度の角度で等間隔にジグザグに折曲したものを互いに編み込んだものであり、略正方形の編み目が形成される。この編み目内に、編み目の間隔と略同径のプラスチック製の栽培ポット８が嵌合されて保持される。栽培ポット８内には、苺のランナーが根付きやすい培土が入れられている。栽培ポット８は、図４に示されるように、外形は円錐形の先端を切断した形状をしており、筒部の外周が下方に行くに従い小径となるように傾斜しており、この傾斜した外周面でネットフェンス５の編み目に嵌合して保持される。
【００１０】
栽培ポット８は、ＰＰ等の軟質樹脂を用いた成形品であり、底の中央部分１１が斜め上方向に傾斜し、その中央部分に底部の外径の半分程度の孔１２が形成されている。中央部分１１の外側の水平な底部分には、４個の水抜き孔１３が形成されている。また、栽培ポット８の上端部には、上端縁に連続するガイド孔１４が形成されている。このガイド孔１４は、親苗からのランナーを挿通して保持するためのものである。なお、栽培ポット８の底に形成された孔１２は通気用として機能する。
【００１１】
この栽培ポット８内に入れられる培土は、高温焼成し、粒径７ｍｍアンダー、１．０〜３．５ｍｍの赤玉土とパームピートを重量比３：２で混合し、Ｎを１５０mg/l、Ｐ2 Ｏ5 を６１０mg/l、Ｋ2 Ｏを１３０mg/l添加したものである。この培土に水を加えて適度な湿り気を持たせた状態で、栽培ポット８内に入れる。栽培ポット８には底に比較的大きな孔１２が開いているが、この培土に湿り気を与えて土粒子の凝集力を増したことで、孔１２から抜け落ちることはない。
【００１２】
次に、図１および図２に示された設備による、苺苗育成方法について説明する。ネットフェンス５の中央のプランタ６には、適当な培土を入れて、苺の親苗を植えておく。このプランタ６には、図示しないが、点滴チュープが配設されて、生育に必要な水分、肥料が供給される。こうして、成長した親苗２１からはランナー２２が伸びて来る。このランナー２２を、ネットフェンス５の編み目に保持されている栽培ポット８のガイド孔１４の内側に挿入して、先端を栽培ポット８内の培土に挿し込んでおく。
【００１３】
すると、適度な湿り気が与えられている培土に接したことで、ランナー２２の先端から根が出て、子苗２３となる。このとき、ランナー２２は、親苗２１から切断することなく、繋がったままとしておくことで、親苗２１から養分が供給されて、子苗２３の成長が早い。子苗２３が充分に成長したら、ランナー２２を切断し、栽培ポット８ごとネットフェンス５から取り出し、定植することができる。また、図示しないが、栽培ポット８が嵌合されているネットフェンス５の部分に対しては、その外側等に噴霧装置が設置されており、子苗２３に対しても必要な水分等の補給がなされる。
【００１４】
以上述べたように、本発明では、ネットフェンス５の編み目に、培土を入れた栽培ポット８を嵌合しておき、親苗２１からのランナー２２を、その栽培ポット８に導いて根付かせるようにしたものであるから、親苗２１からのランナー２２の数や成長度合いに応じて、ネットフェンス５上の任意の位置に、任意の数だけ栽培ポット８を設置することが可能となり、苺苗の成長に対しての対応性、柔軟性、効率にすぐれる。また、ネットフェンス５の高さを、作業者の膝の高さ程度としたため、作業性にすぐれ、作業者の腰への負担が軽減される。また、栽培ポット８に入れられる培土も、ランナーの根付きが良いため、子苗の成長が早くなる効果がある。
【産業上の利用可能性】
【００１５】
本発明は、苺苗の育成に利用する以外には、ランナーにより増殖する蔓性植物への利用も可能である。
【図面の簡単な説明】
【００１６】
【図１】本発明に係る苺苗育成方法の設備を示す縦断面図である。
【図２】図１の平面図である。
【図３】図２の要部を拡大して示した図である。
【図４】図３の栽培ポットを示す平面図および縦断面図である。
【符号の説明】
【００１７】
１  支柱
２  パイプ
３，４  パイプ
５  ネットフェンス
６  プランタ
７  ステイ
８  栽培ポット
１１  中央部分
１２  孔
１３  水抜き孔
１４  ガイド孔
２１  親苗
２２  ランナー
２３  子苗
【図１】
2006050907.tif 000003
【図２】
2006050907.tif 000004
【図３】
2006050907.tif 000005
【図４】
2006050907.tif 000006